(57)【要約】【課題】  ディスク案内部材の溝とディスク保持部材の係号ピンとの係合状態を改善して、選択したディスクの水平姿勢を安定に確保することのできるディスク保持装置を得る。【解決手段】  ディスク軸心合わせ部材の内周面に、基部は水平で途中から先端に向って先細り傾斜した係合ピンの複数個を略等間隔に突設したディスク保持部材と、外周面に同心円状部と傾斜部を連続させて前記係合ピンが係合する溝を螺旋状に形成し、前記同心円状部の溝は勾配のない水平溝とし、前記傾斜部の溝は溝底に向って先細り傾斜した傾斜溝としたディスク案内部材とを備えたものである。【選択図】        図７
2006031838.tif 000002
【特許請求の範囲】
【請求項１】
ドーナツ状の中央穴周辺に一体にディスク軸心合わせ部材を有し、このディスク軸心合わせ部材の内周面に、基部は水平で途中から先端に向って先細り傾斜した係合ピンの複数個を略等間隔に突設したディスク保持部材と、
外周面に同心円状部と傾斜部を連続させて前記係合ピンが係合する溝を螺旋状に形成し、前記同心円状部は勾配のない水平溝とし、前記傾斜部は溝底に向って先細り傾斜した傾斜溝としたディスク案内部材と
を備えたディスク保持装置。
【請求項２】
ドーナツ状の中央穴周辺に一体にディスク軸心合わせ部材を有し、このディスク軸心合わせ部材の内周面に、基部は水平で途中から先端に向って先細り傾斜した係合ピンの複数個を略等間隔に突設したディスク保持部材と、
外周面に同心円状部と傾斜部を連続させて前記係合ピンが係合する溝を螺旋状に形成し、前記同心円状部の入り口部は勾配のない水平溝で途中から溝底に向って先細り傾斜した傾斜溝とし、前記傾斜部は前記同心円状部の傾斜溝と連続した傾斜溝のみとしたディスク案内部材と
を備えたディスク保持装置。
【請求項３】
ドーナツ状の中央穴周辺に一体にディスク軸心合わせ部材を有し、このディスク軸心合わせ部材の内周面に、先端に向って先細り傾斜した係合ピンの複数個を略等間隔に突設し、各係合ピンに中心に向う付勢力を均等に付与したディスク保持部材と、
外周面に同心円状部と傾斜部を連続させて前記係合ピンが係合する溝を螺旋状に形成し、この溝は入り口部から溝底に向って先細り傾斜した傾斜溝としたディスク案内部材と
を備えたディスク保持装置。
【請求項４】
ディスク保持部材の中央穴周辺に設けた穴を通して表裏の合成樹脂を連通させて該中央穴周辺にディスク軸心合わせ部材を一体に設け、前記穴のない箇所において、前記ディスク軸心合わせ部材の内周面に係合ピンを設け、前記合成樹脂の収縮力で前記係合ピンに前記ディスク軸心合わせ部材の中心に向う付勢力を付与したことを特徴とする請求項３記載のディスク保持装置。
【請求項５】
ディスク案内部材の外周面を係合ピン数で区分けし、その区分領域毎に同心円状部と傾斜部を連続させて前記ディスク案内部材の外周面に溝を螺旋状に形成したことを特徴とする請求項１から請求項３のうちのいずれか１項記載のディスク保持装置。
【発明の詳細な説明】
【技術分野】
【０００１】
この発明は外部より挿入した複数枚のディスクを装置内で収納保持するとともに、収納保持したディスクを再生または排出時にディスク搬送機構に受け渡すディスク保持装置に関するものである。
【背景技術】
【０００２】
従来、この種のディスク保持装置は、外周面に同心円状部と傾斜部とを連続させて溝を螺旋状に形成した円筒形状のディスク案内部材を有し、この螺旋状の溝にディスク保持部材の係合ピンを係合させ、ディスク案内部材を回転させることにより、ディスク保持部材をディスク案内部材の軸線方向に移動させてディスクの選択を行っている（例えば、特許文献１参照）。
【０００３】
通常、円筒形状のディスク案内部材の外周面に螺旋状に溝加工を施すには、成形金型（以下、金型と略称する）の加工性を考え、機械加工用の刃物を用いて、金型もしくは刃物を回転させて該金型に溝を螺旋状に作っていく。このため、螺旋状の溝形状は一律に同形状となり、部分的にでも溝に勾配が必要な場合は、溝全周が勾配形状の溝となり、金型が嵌合する部品の位置にどうしても嵌合ガタによるバラツキが発生していた（螺旋形状が等ピッチの場合は、回転抜きという方法で加工することができるためストレート溝でも成形可能であるが、不規則ピッチの場合は勾配が必要である）。
【０００４】
それにより、ディスク案内部材の溝に係合するディスク保持部材の係合ピンが安定せず、その結果、使用状態あるいは使用環境により、ディスクの水平保持が不安定となる。また、これに振動や温度変化の影響も加わってディスク保持部材に保持されているディスクが傾き、ディスクを装置内で搬送・移動させる際に、ディスク搬送機構によるディスクのクランプ動作の信頼性が低くならざるを得なかった。
また、構成部品として必要な規格をディスク案内部材の溝およびディスク保持部材等に要求することにより、この構成部品の公差を厳しくせざるを得ず、歩留まりの悪い構成部品を使用することとなった。
【０００５】
さらに、放射状に分割駆動可能な金型を円筒状に組み合わせてディスク案内部材を成形加工し、成型後、金型を放射状に複数個に分割して離脱させて製品を取り出す際、溝の奥行き方向に縮小する勾配が無かった場合、成形箇所によっては金型が離脱時に製品と干渉し、製品が取り出せない事態を生じる。そのため、金型の分割数により、分割された金型（駒）が離脱される方向より、角度がずれた分だけ溝の奥行き方向に抜き勾配を取らなければならない。
【０００６】
【特許文献１】特開２０００−０９０５４４号公報（［０００２］〜［０００５］、図１７〜図２０）
【発明の開示】
【発明が解決しようとする課題】
【０００７】
従来のディスク保持装置で用いられている円筒形状のディスク案内部材は、上記のように外周部に形成した溝には奥細りの抜き勾配を必要とする。このため、この溝に係合ピンを係合させたディスク保持部材は、溝の底とピン先端との間の隙間により、振動等を受けて水平方向に移動することがある。この場合、溝の奥行き方向の抜き勾配によって係合ピンを介してディスク保持部材がディスク案内部材の軸線方向に移動して上下に傾くことになる。このため、ディスク保持装置内で収納保持したディスクを再生または排出時に、ディスクを保持機構に受け渡すクランプ動作の信頼性が低くなり、場合によっては、ディスクの再生、排出ができなくなるという課題があった。
【０００８】
この発明は上記のような課題を解消するためになされたもので、ディスク案内部材の溝とディスク保持部材の係号ピンとの係合状態を改善して、選択したディスクの水平姿勢を安定に確保することのできるディスク保持装置を得ることを目的とする。
【課題を解決するための手段】
【０００９】
この発明に係るディスク保持装置は、ディスク軸心合わせ部材の内周面に、基部は水平で途中から先端に向って先細り傾斜した係合ピンの複数個を略等間隔に突設したディスク保持部材と、外周面に同心円状部と傾斜部を連続させて前記係合ピンが係合する溝を螺旋状に形成し、前記同心円状部の溝は勾配のない水平溝とし、前記傾斜部の溝は溝底に向って先細り傾斜した傾斜溝としたディスク案内部材とを備えたものである。
【００１０】
この発明に係るディスク保持装置は、ディスク軸心合わせ部材の内周面に、基部は水平で途中から先端に向って先細り傾斜した係合ピンの複数個を略等間隔に突設したディスク保持部材と、外周面に同心円状部と傾斜部を連続させて前記係合ピンが係合する溝を螺旋状に形成し、前記同心円状部の溝は入り口部では勾配のない水平溝で途中から溝底に向って先細り傾斜した傾斜溝とし、前記傾斜部の溝は前記同心円状部の傾斜溝と連続した傾斜溝のみとしたディスク案内部材とを備えたものである。
【００１１】
この発明に係るディスク保持装置は、ディスク軸心合わせ部材の内周面に、先端に向って先細り傾斜した係合ピンの複数個を略等間隔に突設し、各係合ピンに中心に向う付勢力を均等に付与したディスク保持部材と、外周面に同心円状部と傾斜部を連続させて前記係合ピンが係合する溝を螺旋状に形成し、この溝は入り口部から溝底に向って先細り傾斜した傾斜溝としたディスク案内部材とを備えたものである。
【発明の効果】
【００１２】
この発明によれば、ディスクの保持状態では、ディスク案内部材の同心円状部の水平溝に、係合ピンの水平部を係合させるように構成したので、ディスク保持部材が振動等を受けて係合ピン先端と溝の底との間の隙間により水平方向に移動しても、ディスク保持部材が上下に傾くことがない。この結果、ディスク保持部材、つまり、ディスクの水平姿勢を安定に確保することのでき、ディスク保持装置内でディスクを搬送・移動させる際に、ディスクをディスク搬送機構に受け渡すクランプ動作の信頼性を保ち、ディスクの再生、排出を確実に行うことができるという効果ある。
【００１３】
この発明によれば、ディスク案内部材の外周面に形成した溝を、同心円状部は入り口部では勾配のない水平溝で途中から溝底に向って先細り傾斜した傾斜溝とし、傾斜部は同心円状部の傾斜溝と連続した傾斜溝のみとしたので、ディスクの保持状態では、ディスク保持部材が振動等を受けて水平方向に移動しても上下に傾くことを防止することができるとともに、傾斜溝に係合する係合ピンが溝内を円滑に移動することができ、ディスクの上下方向への移動を安定に行なうことができるという効果ある。
【００１４】
この発明によれば、係合ピンに中心に向う付勢力を均等に付与したので、この係合ピンはディスク案内部材の溝に係合したときには、係合ピンの先端は溝底に当接する。この結果、ディスク保持部材が振動等を受けても水平方向に移動することがなく、ディスク案内部材の溝が入り口部から溝底に向って先細り傾斜した傾斜溝であっても、ディスク保持部材が上下に傾くことを確実に防止することができるという効果ある。
【発明を実施するための最良の形態】
【００１５】
以下、この発明の実施の一形態を図面について詳細に説明する。
実施の形態１．
図１は円筒形状のディスク案内部材を示す正面図である。このディスク案内部材は、第１のディスク案内部材１０と第２のディスク案内部材２０とからなる。第１のディスク案内部材１０は外周面には同心円状部と傾斜部を連続させて３本の螺旋状の溝１１ａ，１１ｂ，１１ｃを螺旋状に形成し、前記同心円状部は勾配のない水平溝とし、前記傾斜部は溝底に向って先細り傾斜した傾斜溝としている。そして、この３本の螺旋状の溝１１ａ，１１ｂ，１１ｃの同心円状部は同一高さ位置に形成されているとともに、３本の螺旋状の溝１１ａ，１１ｂ，１１ｃは、後述する第２のディスク案内部材２０との連結端に開放している。
【００１６】
第２のディスク案内部材２０は、外周面には同心円状部と傾斜部を連続させて３本の螺旋状の溝２１ａ，２１ｂ，２１ｃを螺旋状に形成し、前記同心円状部は勾配のない水平溝とし、前記傾斜部は溝底に向って先細り傾斜した傾斜溝としている。そして、この３本の螺旋状の溝２１ａ，２１ｂ，２１ｃの同心円状部は同一高さ位置に形成されているとともに、３本の螺旋状の溝２１ａ，２１ｂ，２１ｃは、上記第１のディスク案内部材１０との連結端に開放している。そして、この第２のディスク案内部材２０の一端に第１のディスク案内部材１０の一端を当接させて、螺旋状の溝１１ａ，１１ｂ，１１ｃと螺旋状の溝２１ａ，２１ｂ，２１ｃを連通させる。この第１のディスク案内部材１０と第２のディスク案内部材２０の当接面には、相対的に凹凸係合部１２、２２が形成されている。
【００１７】
図２は３本の螺旋状の溝２１ａ，２１ｂ，２１ｃの一部の拡大正面図である。この螺旋状の溝２１ａ，２１ｂ，２１ｃは、同心円状部Ｘは、図３（ａ）に示すように勾配のないコ字状の水平溝２２とし、傾斜部Ｙは図３（ｂ）に示すように溝底に向って先細り傾斜した傾斜溝２３としている。
【００１８】
図４（ａ）は勾配のない水平溝２２を形成するための突状部３１を有する金型３０ａの一部の断面図、図４（ｂ）は溝底に向って先細り傾斜した傾斜溝２３を形成するための突状部３２を有する金型３０ｂの一部の断面図であり、図４（ａ）に示す金型３０ａの突状部３１を斜線示３３のように削除することにより、傾斜溝２３を成形するための突状部３２を精度良く作成することができる。
【００１９】
そして、これ等の金型３０ａ，３０ｂを図５に示すように円筒状に組み合わせてディスク案内部材１０，２０を成形加工する。この場合、同心円状部Ｘに相当する水平溝２２は勾配がなくても、水平であるから、製品からの金型の離脱には何も支障がない。また、傾斜部Ｙに相当する傾斜溝２３は勾配を設けてあるので、製品からの金型の離脱にも何ら支障がない。
【００２０】
図６は上記のように作成した第２のディスク案内部材２０にディスク保持部材５０を組み付けた状態を示す平面図である。このディスク保持部材５０は、例えば金属性板材をドーナツ状に打ち抜き加工し、そのドーナツ状の中央穴周辺に一体にディスク軸心合わせ部材５１を設け、このディスク軸心合わせ部材５１の内周面に、基部は水平で途中から先端に向って先細り傾斜した係合ピン５３ａ，５３ｂ，５３ｃを略等間隔に突設したものである。この係合ピン５３ａ，５３ｂ，５３ｃは図１（ｂ）に示すように連結した第１、２のディスク案内部材１０、２０の３本の螺旋状の溝１１ａ，１１ｂ，１１ｃ，２１ａ，２１ｂ，２１ｃに係合移動する。
【００２１】
次に動作について説明する。
図示を省略した駆動源によって第２のディスク案内部材２０を回転駆動させると、この第２のディスク案内部材２０に係合している第１のディスク案内部材１０も一体となって回転する。この回転によって、ディスク保持部材５０は係合ピン５３ａ，５３ｂ，５３ｃが連続した３本の螺旋状の溝１１ａ，１１ｂ，１１ｃ．２１ａ，２１ｂ，２１ｃに係合しているため、第１、第２のディスク案内部材２０の軸線方向に移動する。
【００２２】
ディスク保持状態において、ディスク保持部材５０が振動等を受けて溝底とピン先端との間の隙間だけ水平方向に移動したとしても、図７、８に示すように、第１、第２のディスク案内部材１０、２０の同心円状部の水平溝２２と係合ピン５３ａ，５３ｂ，５３ｃの水平部とが当接しているので、ディスク保持部材５０は軸線方向、つまり上下方向に傾くことがない。この場合、係合ピン５３ａ，５３ｂ，５３ｃは、図９に示すように、断面楕円形に構成しておけば、水平溝２２と係合ピン５３ａ，５３ｂ，５３ｃの水平部とが面接触となり、水平保持がより安定化する。
【００２３】
以上のように、この実施の形態１によれば、ディスク案内部材の外周面に同心円状部と傾斜部を連続させて溝を螺旋状に形成し、前記同心円状部の水平溝に、ディスク保持部材の係合ピンの水平部を係合させるように構成したので、ディスク保持部材が振動等を受けて係合ピン先端と溝底との間の隙間により水平方向に移動しても、ディスク保持部材が上下に傾くことがない。この結果、ディスクの水平姿勢を安定に確保することのでき、ディスク保持装置内でディスクを搬送・移動させる際に、ディスクをディスク搬送機構に受け渡すクランプ動作の信頼性を保ち、ディスクの再生、排出を確実に行うことができる。
【００２４】
実施の形態２．
実施の形態２は、外周面に同心円状部Ｘと傾斜部Ｙを連続させて溝を螺旋状に形成し、同心円状部Ｘは入り口部では勾配のない水平溝で途中から溝底に向って先細り傾斜した傾斜溝とし、前記傾斜部Ｙは前記同心円状部Ｘの傾斜溝と連続した傾斜溝のみとしたディスク案内部材８０を用いるものである。
【００２５】
図１０は、このディスク案内部材６０を成形するための金型を放電加工で得るための電極６０を示すもので、金属性の円筒状素材６１の外周面に機械による切削加工により、同心円状部Ｘと傾斜部Ｙを連続させた螺旋状の溝６２ａ，６２ｂ，６２ｃを形成する。この螺旋状の溝６２ａ，６２ｂ，６２ｃは入り口部では勾配のない水平溝で途中から溝底に向って先細り傾斜した傾斜溝である。そして、この溝加工後、電極の同心円状部に相当する外周面を水平溝を無くするように、図１０の斜線部分６３を除去する。
【００２６】
図１１は、図１０の電極を用いて放電加工により作成した金型７０を示す縦断面図である。この金型の内面には、同心円状部Ｘと傾斜部Ｙを連続させた螺旋状の突状部７１ａ，７１ｂ，７１ｃが形成され、同心円状部Ｘに相当する突状部は基部が水平突状部で途中から先端先細りの傾斜突状部であって、傾斜部Ｙに相当する突状部は同心円状部の傾斜突状部に連続する同形の傾斜突状部のみである。そして、成形後は金型を螺旋状の突状部の同心円状部と傾斜部を境に軸線方向に分割して図５に示す分割金型としたものである。
【００２７】
成形時は、上記図１１の分割金型を、螺旋状の突状部の同心円状部Ｘと傾斜部Ｙが連続するように円筒状に組み合わせて成形を行い、成形後は、金型を図５に示すように放射状に分割金型を取外して成形品８０を取り出す。図１２はこの成形品８０を示す縦断面図であり、その外表面には前記図１０に示す電極と同一の同心円状部と傾斜部を連続させた３本の螺旋状の溝８１ａ，８１ｂ，８１ｃが形成されている。
【００２８】
図１３は、図１２の成形品であるディスク案内部材８０の使用状態図を示すもので、前記図６〜図８に示したディスク保持部材５０の３本の係合ピン５３ａ，５３ｂ，５３ｃを３本の螺旋状の溝８１ａ，８１ｂ，８１ｃに係合させる。この場合、係合ピン５３ａ，５３ｂ，５３ｃは、基部が水平で途中より先端に向かって先細りとなったものを使用するもので、先細り部は傾斜溝に係合し、基部の水平部は水平溝に係合する。この構成により、ディスク案内部材８０が回転することにより、ディスク保持部材５０は３本の係合ピン５３ａ，５３ｂ，５３ｃが係合するディスク案内部材８０の３本の螺旋状の溝８１ａ，８１ｂ，８１ｃに沿って軸線方向、つまり図１３では紙面と直交する方向に移動する。
【００２９】
また、ディスク案内部材８０が回転しない停止状態において、振動等により、ディスク保持部材５０が軸線と直交する水平方向に移動しても、３本の螺旋状の溝８１ａ，８１ｂ，８１ｃの入り口部の水平溝に係合ピン５３ａ，５３ｂ，５３ｃの基部水平部が当接しているため、軸線方向には移動することがなく、ディスク保持部材が上下に傾くことがない。この結果、ディスク保持部材、つまり、ディスクの水平姿勢を安定に確保することのでき、ディスク保持装置内でディスクを搬送・移動させる際に、ディスクをディスク搬送機構に受け渡すクランプ動作の信頼性を保ち、ディスクの再生、排出を確実に行うことができる。
【００３０】
以上のように、この実施の形態２によれば、金型を放電加工すべき電極を機械加工し、入り口部が水平溝をなし途中から溝底に向って先細り傾斜溝となる螺旋状の溝に形成した後、傾斜溝のみを必要とする領域においては、その傾斜溝を残すように円筒状素材の表面を水平溝を含めて全長に亘り除去することにより、複雑な三次元加工や手加工を必要とせず、単純な機械加工にて、金型を放電加工で作成するための電極を製作することができる。そして、この電極を利用して金型を製作することにより、金型の保守管理も容易である。
【００３１】
実施の形態３．
上記の実施の形態１，２は、ディスク案内部材１０、２０、ディスク保持部材５０の係合ピン５３ａ，５３ｂ，５３ｃの形状に工夫を加えたものであるが、この実施の形態３は、ディスク保持部材５０自体に工夫を加えたものである。図１４はこの実施の形態３によるディスク保持部材５０の平面図を示すもので、このディスク保持部材５０はばね部材５６と、このばね部材５６の中心の設けられた丸穴５６ａに一体に形成されたディスク保持用のディスク軸心合わせ部材５１とからなり、ばね部材５６の外縁部の一部がＴ字型に分離され、そのＴ字型の両側部が同じ方向に折り曲げられ、ディスク案内部材に積層保持されたディスク（図示を省略）の間隔を保持するようになっている。また、ディスク軸心合わせ部材５１の内面には略等間隔で複数個の係合ピン５３ａ，５３ｂ，５３ｃが形成されている。
【００３２】
この実施の形態３はディスク軸心合わせ部材５１をばね部材の中心の丸穴内に合成樹脂によりアウトサート成形するとき、その成形加工時の合成樹脂の収縮に対する引き留めとして、ばね部材に略等間隔に複数個の穴５６ａが形成し、この穴５６ａを通してばね部材の表裏の合成樹脂を巻き込み、合成樹脂がばね部材５６より剥離するのを防止している。
【００３３】
しかし、この実施の形態３では、係合ピン５３ａ，５３ｂ，５３ｃに対応するばね部材５６の位置Ａ、Ｂ、Ｃには穴を設けないもので、この係合ピン５３ａ，５３ｂ，５３ｃに対応する位置Ａ、Ｂ、Ｃの合成樹脂は、ディスク軸心合わせ部材５１の中心方向に収縮しようとする。この結果、係合ピン５３ａ，５３ｂ，５３ｃをディスク案内部材５０の螺旋状溝に係合させたとき、係合ピン５３ａ，５３ｂ，５３ｃは溝底との間にクリアランスをなくす方向に移動する。ただし、合成樹脂の肉厚が少ないために、部分Ａ、Ｂ、Ｃは広がる方向にも弾性をもっているため、恒常的に溝底と係合ピン５３ａ，５３ｂ，５３ｃのクリアランスを弾性的につめておくことができる。
【００３４】
これにより、別部材を用いることなく、ディスクの保持姿勢を安定させることができ、弾性係合によるため、径方向の寸法精度もそれほどシビアにしなくても済むという効果もある。また、この弾性係合により、係合ピン先端に摩耗が発生しても、ガタを押さえ込むことができ、摩耗等の形状変化にも対応でき、温度変化によるガタ量の変化にも有効である。なお、図示例は合成樹脂の収縮を利用して係合ピン５３ａ，５３ｂ，５３ｃが中心に向う付勢力を得ているが、この付勢力は別部材の弾性部材を利用して得ることもできる。
【００３５】
以下、実施の形態１〜３で得たディスク保持部材１０，２０、ディスク案内部材５０を適用したディスク保持装置について説明する。このディスク保持装置１は、図１５に示すように、大きく４つの構成要素に分けられ、一部が筐体２の天井部に固着されており、駆動源（後述する）の駆動力により回動可能に配設された第１心棒機構１００と、一部が筐体２の底部に固着されており、駆動源（後述する）の駆動力により回動可能に配設された第２心棒機構２００と、この第２心棒機構２００を内部で嵌合するよう配設され、第２心棒機構２００の回動動作に応じて回動軸方向に移動可能な第３心棒機構３００と、第１心棒機構１００と第３心棒機構３００とに遊嵌され、第１心棒機構１００に形成された溝と第３心棒機構３００に形成された溝とに係合可能な突起部を内周部に形成したドーナツ状のディスク支挿機構とで構成されている。
【００３６】
第１心棒機構１００は、一端が筐体２の天板に取付けられ、外周縁部に３本の螺旋状の溝１１２〜１１４を形成した回動可能な第１ディスク案内部材１１０（実施の形態１〜３におけるディスク案内部材１０に相当）が設けられ、この第１ディスク案内部材１１０の内部にはリング状の圧縮バネ部材１２０が配設されており、この圧縮バネ部材により第１ディスク案内部材１１０をＡ方向に付勢させている。なお、３本の螺旋状の溝１１２〜１１４の一端は第１ディスク案内部材１１０の端面に開口している。
【００３７】
また、第１ディスク案内部材１１０を内周部にて案内するように中空状に形成された第１ホルダー１３０を設けており、第１ディスク案内部材１１０の一部を筐体２の天板に固着することにより、第１ディスク案内部材が筐体２に保持される。ここで、第１ホルダー１３０には軸方向に沿って等間隔で３本のスリット１３２〜１３４が形成されており、これらスリット１３２〜１３４の開口面は開口１３２ａ〜１３４ａされている。
【００３８】
次に、第２心棒機構２００は、一端が筐体２の底面に当接され内部が中空状に形成された第２ホルダー２１０と、この第２ホルダー２１０の内部に収納され、一端が筐体２の底面に当接し、第２ディスク案内部材２３０（後述する）の回動軸となる軸部材２２０と、この軸部材２２０を回動軸として内部に遊嵌し、外周面部に３本の螺旋状の溝２３１〜２３３を形成した第２ディスク案内部材２３０と、第３ディスク案内部材３３０（実施の形態１〜３におけるディスク案内部材２０に相当）が第１ディスク案内部材１１０と連結する際に、軸部材２２０の他端から第２ディスク案内部材２３０が離脱しないようネジ止めするネジ２６０とで構成されている。
【００３９】
また、軸部材２２０が第３ディスク案内部材３３０内に収納されている際は、第３ディスク案内部材３３０の内側に係止されており、このため上方に突出されないよう構成されている。一方、第３ディスク案内部材３３０を第１ディスク案内部材１１０に連結させる際、軸部材２２０が上方にせり上がり、このせり上がり時に第３ディスク案内部材３３０との係上が解除される。また、ネジ２６０で第２ディスク案内部材２３０はネジ止めされているが、軸部材２２０を回動軸として回動可能になっている。
【００４０】
また、第２ホルダー２１０の底面には、上方に向って突出した突起部２１２が形成されており、この突起部２１２は、最下段にディスクが支持されている際に、このディスクの内周部を当接させることにより支持し、ディスクの傾きや遥動を規制している。
ここで、第２ディスク案内部材２３０は筐体２の底面側の端部にギア２３４を有し、このギア２３４はディスク搬入出機構（図示せず）の伝達機構と連動されている。また、第２ホルダー２１０には軸方向に沿って等間隔で６本のスリット２１１〜２１６が形成されている。
【００４１】
次に、第３心棒機構３００は、中空状に形成され、内周縁部に等間隔に３つの突起部３０２〜３０４が形成され、また、外周縁部には軸方向に沿って等間隔で３本のスリットが形成された第３ホルダー３０１を有する。第２ホルダー２１０のスリット２１４〜２１６は第３ホルダー３０１のガイド部をガイドし、回動軸方向に第３ホルダー３０１を移動させるように構成している。
【００４２】
また、第３ホルダー３０１は、筐体２の天板側端部に等間隔で３つの突起部３１１〜３１３を形成し、この第３ホルダー３０１が回動軸方向に移動する際、第１ホルダー１３０の凹部にそれぞれ係合するように構成され、また、外周面の一部に切り欠いた爪部３１４〜３１６を形成している。ここで、内周縁部に形成された突起部３０２〜３０４は第２ディスク案内部材２３０の溝２３１〜２３３と摺動可能に係合し、第２ディスク案内部材２３０の回動動作に連動して第３ホルダー３０１を回動軸方向に移動可能している。
【００４３】
また、第３ホルダー３０１の内部に遊嵌され、外周面部に同心円状の溝３３１と螺旋状の溝３３２〜３３４とを形成した第３ディスク案内部材３３０を設けており、この第３ディスク案内部材３３０の螺旋状の溝３３２〜３３４の筐体天井側端部に開口されており、これら開口面は、第３心棒機構３００と第１心棒機構１００とが連結した際、第１ディスク案内部材１１０の螺旋状の溝１１２〜１１４の開口面に連絡するようになっている。
なお、第３心棒機構３００は中空状に形成されており、この内部に第２ディスク案内部材２３０が遊嵌されるよう構成され、第２ディスク案内部材２３０の回動動作に応じて第３心棒機構３００が回動軸方向に移動するように構成されている。
【００４４】
このように構成したことにより、第３ホルダー３０１から第３ディスク案内部材３３０が離脱しないよう回動自在になっている。さらに、第３ホルダー３３０には、筐体２の天井面側端部に天井面に向かって突起した３つの突起部３３５〜３３７を等間隔に配設している。
【００４５】
また、第３ディスク案内部材３３０が第２ディスク案内部材２３０の回動動作に基づき、第３ホルダー３０１とともに回動軸方向に移動し、筐体２の天井面側に移動した際は、第３ディスク案内部材に形成された突起部３３５〜３３７が第１ディスク案内部材１１０の凹部に嵌合して連結されるように構成されている。ここで、第３ディスク案内部材３３０と第１ディスク案内部材１１０とが連結されると、第２ディスク案内部材２３０に形成されたギア２３４の回動を止め、第１ディスク案内部材１１０に嵌合されたギアの回動動作を行うようにしている。この場合は、第１ディスク案内部材１１０と第３ディスク案内部材３３０とが一体となり、一体化されたまま回動動作を行うようにしている。このとき、回動軸方向への移動はない。
【００４６】
ディスク保持部材５０（実施の形態１〜３におけるディスク保持部材５０に相当）はばね部材と、このばね部材の中心の設けられた丸穴に一体に形成されたディスク保持用のディスク軸心合わせ部材５１とからなり、ばね部材の外縁部の一部がＴ字型に分離され、そのＴ字型の両側部が同じ方向に折り曲げられ、ディスク案内部材に積層保持されたディスクの間隔を保持するようになっている。また、ディスク軸心合わせ部材５１の内面には略等間隔で複数個の係合ピンが形成されている。
【００４７】
次に図１６〜図２２を用いて、ディスクの高さを変更する際の原理を説明する。
図１６は第１ディスクＲを挿入し、ディスク保持位置まで搬送された状態を示しており、この際、第１、第３のディスク保持部材１１０、３３０は図１６（ｂ）に示すように上下に分離している。図１７は第３ディスクＲを挿入し、ディスク保持位置まで搬送された状態を示しており、この際、第１、第３のディスク保持部材は上下に分離している。図１８は第３ディスクＲをディスク保持部材を保持し、上方のディスク保持部材に押圧しながら当設し、この例では、第３ディスクを上方に持ち上げて第２支持部材に当接させる。
【００４８】
図１９は第３ディスクＲを保持するため、第１のディスク保持部材が上部へ押圧しながら、即ち、第２スペーサに対して第３ディスクＲを押圧しながら第３ディスク案内部材３３０を上昇させる。この際、突起部が上方に突出する。図２０は第３ディスク案内部材３３０を第１ディスク案内部材１１０に連結する際、まず、突出部が第１のディスク案内部材１１０の係合部に当接し係合される。これにより、第３ディスク案内部材３３０と第１ディスク案内部材１１０とが連結接続に移行する。
【００４９】
次に図２１に示すように、第３ディスク案内部材３３０が第１ディスク案内部材１１０と連結接続され、ディスクの保護動作を完了する。また、図２２は第６ディスクＲを選択した際の状態であり、第３ディスク案内部材３３０の動作により、第６ディスクをディスク保持機構が保持する所定に高さまで持ち上げる。
【図面の簡単な説明】
【００５０】
【図１】実施の形態１における円筒形状のディスク案内部材を示す正面図である。
【図２】３本の螺旋状溝の一部の拡大正面図である。
【図３】この螺旋状溝の断面図であり、（ａ）は勾配のない断面コ字型の水平溝の断面図、（ｂ）は勾配のある断面奥細りの傾斜溝の断面図である。
【図４】金型の断面図であり、（ａ）は断面コ字型の水平溝を形成する金型の断面図、（ｂ）は勾配のある断面奥細りの傾斜溝を形成する金型の断面図である。
【図５】金型を円筒状に組み合わせた平面図である。
【図６】ディスク案内部材にディスク保持部材を組み付けた状態の平面図である。
【図７】図６のＶＩＩ−ＶＩＩに沿う縦断面図である。
【図８】ディスク案内部材の螺旋状溝にディスク保持部材の係合ピンが係合した状態の拡大断面図である。
【図９】係合ピンの変形例を示す横断面図である。
【図１０】実施の形態２における金型を製作する放電加工用の電極を示す縦断面図である。
【図１１】その電極で作成された金型の縦断面図である。
【図１２】図１１の金型で成形した成形品であるディスク案内部材を示す縦断面図である。
【図１３】そのディスク案内部材にディスク保持部材を組み付けた状態の平面図である。
【図１４】実施の形態３によるディスク保持部材の平面図である。
【図１５】ディスク保護装置の分解斜視図である。
【図１６】ディスク保護装置の動作状態を説明する動作状態還移図である。
【図１７】ディスク保護装置の動作状態を説明する動作状態還移図である。
【図１８】ディスク保護装置の動作状態を説明する動作状態還移図である。
【図１９】ディスク保護装置の動作状態を説明する動作状態還移図である。
【図２０】ディスク保護装置の動作状態を説明する動作状態還移図である。
【図２１】ディスク保護装置の動作状態を説明する動作状態還移図である。
【図２２】ディスク保護装置の動作状態を説明する動作状態還移図である。
【符号の説明】
【００５１】
１０  ディスク案内部材、１１ａ，１１ｂ，１１ｃ  螺旋状溝、２０  ディスク案内部材、２１ａ，２１ｂ，２１ｃ  螺旋状溝、５０  ディスク保持部材、５１  ディスク軸心合わせ部材、５３ａ，５３ｂ，５３ｃ  係合ピン、Ｘ  同心円状部、Ｙ  傾斜部。
【図１】
2006031838.tif 000003
【図２】
2006031838.tif 000004
【図３】
2006031838.tif 000005
【図４】
2006031838.tif 000006
【図５】
2006031838.tif 000007
【図６】
2006031838.tif 000008
【図７】
2006031838.tif 000009
【図８】
2006031838.tif 000010
【図９】
2006031838.tif 000011
【図１０】
2006031838.tif 000012
【図１１】
2006031838.tif 000013
【図１２】
2006031838.tif 000014
【図１３】
2006031838.tif 000015
【図１４】
2006031838.tif 000016
【図１５】
2006031838.tif 000017
【図１６】
2006031838.tif 000018
【図１７】
2006031838.tif 000019
【図１８】
2006031838.tif 000020
【図１９】
2006031838.tif 000021
【図２０】
2006031838.tif 000022
【図２１】
2006031838.tif 000023
【図２２】
2006031838.tif 000024